(57)【特許請求の範囲】
【請求項１】
操作者の入力操作によって入力されるエネルギー使用量を、エネルギーの使用拠点、種類及び使用年月の３種類の条件を用いて特定される帳票型一覧表内のデータ入力箇所に設定する、パソコンを利用したエネルギー管理システムにおいて、
画面に表示した間接入力モード選択ボタンが操作者によって押下された場合に間接入力モードとなり、
前記間接入力モードでは、
前記３種類の条件毎に用意され各条件に対する選択項目のリストを表示して操作者に条件の選択を促す３種類の条件指定画面を、一つの条件指定画面で操作者が条件を選択する毎に次の条件指定画面に遷移して表示することにより、操作者に前記３種類の条件の選択を段階的に促し、
操作者によって選択された前記３種類の条件を用いて前記エネルギー使用量のデータ入力箇所を特定した後に、数値入力画面を表示して操作者によるエネルギー使用量の入力を促し、
前記３種類の条件指定画面で選択した内容と前記数値入力画面で入力した内容とを帳票型一覧表画面に設定することを確認する入力内容確認画面を表示し、
前記間接モードが終了すると、前記間接モードを使用して入力されたエネルギー使用量が反映された帳票型一覧表画面を表示することを特徴とするエネルギー管理システム。
【請求項２】
請求項１記載のエネルギー管理システムにおいて、
前記間接入力モードで、前記数値入力画面でエネルギー使用量としての数値が入力されたのち、操作者によって次の画面に進むボタンが押下された場合には前記入力内容確認画面を表示し、操作者によって次の画面に進むボタンではなく前の画面に戻るボタンが押下された場合には再び前記数値入力画面に戻ることを特徴とするエネルギー管理システム。
【請求項３】
請求項１記載のエネルギー管理システムにおいて、
前記間接入力モードで、前記入力内容確認画面を表示したのち、操作者によって次の画面に進むボタンが押下された場合に、続けて前記間接入力モードによる入力作業を行うか或いは前記間接入力モードによる入力作業を終了するかを選択する連続入力確認画面を表示することを特徴とするエネルギー管理システム。
【請求項４】
請求項１記載のエネルギー管理システムにおいて、
前記間接入力モードで、前記連続入力確認画面を表示したのち、操作者により続けて入力作業を行うことが選択された場合には再び前記条件指定画面の表示を行い、操作者により入力作業を終了することが選択された場合には前記間接入力モードを終了し、前記間接モードを使用して入力されたエネルギー使用量が反映された帳票型一覧表画面を表示することを特徴とするエネルギー管理システム。
【請求項５】
請求項１記載のエネルギー管理システムにおいて、
前記間接入力モードで、前記連続入力確認画面を表示したのち、操作者により続けて入力作業を行うことが選択された場合には再び前記条件指定画面の表示を行い、その際の条件の選択内容が前回選択した内容を初期状態とすることを特徴とするエネルギー管理システム。
【発明の詳細な説明】
【技術分野】
【０００１】
本発明は、パソコンを利用した帳票型一覧表に対するデータ入力方法に関する。
【背景技術】
【０００２】
従来から、パソコンを利用した帳票型一覧表のデータ入力は行われており、入力を自動的に制限することにより、誤入力の低減を図ったものとして、特許文献１に示されるものがある。
【先行技術文献】
【特許文献】
【０００３】
【特許文献１】特開２０１０−１２９０９１号公報
【発明の概要】
【発明が解決しようとする課題】
【０００４】
しかし、パソコンを利用した従来帳票型一覧表に対する一般的なデータ入力方法は「省エネ法定期報告書作成支援ソフト」等、入力箇所を指定するための複数の条件により帳票型一覧内の縦と横を指定し、その指定された箇所に数値を入力する方法を採用している。この場合、２つ以上の複数の条件を同時に判断して帳票内の入力箇所を特定する必要があるため、煩雑であり選択箇所の特定が困難である。条件の数が多いほど煩雑性は高まる。特許文献１にあるような入力を自動的に制限することにより、誤入力の低減は望めるが、複合条件によるデータ入力の煩雑性は解消されていない。
【０００５】
本発明の課題は、これら帳票型一覧表に対するデータ入力箇所を、操作手順が増えても操作者がわかりやすく特定できる、パソコンを利用した帳票型一覧表とその入力方法を提供することである。
【課題を解決するための手段】
【０００６】
本発明は、操作者の入力操作によって入力されるエネルギー使用量を、エネルギーの使用拠点、種類及び使用年月の３種類の条件を用いて特定される帳票型一覧表内のデータ入力箇所に設定する、パソコンを利用したエネルギー管理システムにおいて、画面に表示した間接入力モード選択ボタンが操作者によって押下された場合に間接入力モードとなり、前記間接入力モードでは、前記３種類の条件毎に用意され各条件に対する選択項目のリストを表示して操作者に条件の選択を促す３種類の条件指定画面を、一つの条件指定画面で操作者が条件を選択する毎に次の条件指定画面に遷移して表示することにより、操作者に前記３種類の条件の選択を段階的に促し、操作者によって選択された前記３種類の条件を用いて前記エネルギー使用量のデータ入力箇所を特定した後に、数値入力画面を表示して操作者によるエネルギー使用量の入力を促し、前記３種類の条件指定画面で選択した内容と前記数値入力画面で入力した内容とを帳票型一覧表画面に設定することを確認する入力内容確認画面を表示し、前記間接モードが終了すると、前記間接モードを使用して入力されたエネルギー使用量が反映された帳票型一覧表画面を表示することを特徴とする。
【発明の効果】
【０００７】
本発明によれば、帳票型一覧表に対するデータ入力箇所を、操作手順が増えても操作者がわかりやすく特定できる。
【図面の簡単な説明】
【０００８】
【図１】本発明の実施例を示す帳票型一覧表画面と入力保持機能の関連構造を示す図。
【図２】本発明の実施例を示す条件指定画面の詳細構造を示す図。
【図３】本発明の実施例を示す数値入力画面の詳細構造を示す図。
【図４】本発明の実施例を示す確認画面の詳細構造を示す図。
【図５】本発明の実施例を示す連続入力確認画面の詳細構造を示す図。
【図６】従来と本発明の入力方法のフローチャート。
【図７】図１の帳票型一欄表画面の拡大図。
【発明を実施するための形態】
【０００９】
以下、本発明の実施例を図面に基づいて説明する。
【実施例】
【００１０】
図１を用いて請求項１に記載の発明に係るエネルギー管理での帳票型一覧表画面（８０）と間接入力モード（７０）を説明する。
【００１１】
エネルギー管理とは、エネルギー使用量の推移を、「本社」「支店」等使用する場所（拠点）毎、「電気」「ガス」等のエネルギー種類毎、「２０１１年４月度」等の使用年月に対して、「１００ｋｌ」等の使用量を入力し、そのデータを帳票型一覧表画面（８０）として管理する。
【００１２】
従来のエネルギー管理では、帳票型一覧表画面（８０）に帳票から複数の条件内容「使用拠点（どこ）」、「使用エネルギーの種類（何を）」、「使用年月（いつ）」を縦列、横行から選択し、入力位置を特定、帳票型一覧表画面（８０）に直接「使用量（数値）」を入力していたが、本発明実施例のシステムでは帳票型一覧表に直接入力する方法とは別に、複数の条件をひとつずつ選択しながら条件を選択する複数（３種類）の条件指定画面（１０，２０，３０）、と数値入力画面（４０）と、入力内容確認画面（５０）と、連続入力確認画面（６０）とからなる間接入力モード（７０）を備える。
【００１３】
図２を用いて条件指定画面（１０，２０，３０）の詳細構成を説明する。ひとつの条件指定画面（１０，２０，３０）では、条件「どこ、何を、いつ」のひとつに関するガイダンス（１５，２５，３５）と、条件に対する選択項目を条件リスト（１１，２１，３１、）で表示することで、ユーザーはその選択項目から条件を選択し、次の条件指定画面（２０，３０）を表示する。
【００１４】
それぞれの条件指定画面（１０，２０，３０）、数値入力画面（４０）、入力内容確認画面（５０）は次の条件指定画面に進むボタン（１３，２３，３３，４３，５３）を備え、本ボタンにより複数の条件指定画面（１０，２０，３０）または数値入力画面（４０）または入力内容確認画面（５０）を順に表示、順に条件を選択することで、複雑な条件「どこ、何を、いつ」を順に整理しながら条件を段階的に選択をすることができる。条件を段階的に画面遷移とともに絞り込むことができる機能を備えることで、従来は複数の条件を帳票型一覧画面上から同時識別することによる煩雑性を、軽減することが可能となる。
【００１５】
それぞれの条件指定画面（２０，３０）、数値入力画面（４０）、入力内容確認画面（５０）は前の画面に戻るボタン（２２，３２，４２，５２）を備え、本ボタンにより設定内容が誤っていた場合に前の条件指定画面（１０，２０，３０）または数値入力画面（４０）に戻すことができることで入力データの修正を容易に行うことができる。
【００１６】
それぞれの条件指定画面（１０，２０，３０）、数値入力画面（４０）、入力内容確認画面（５０）は入力作業を中断するための入力作業を中止するボタン（１４，２４，３４，４４，５４）を備え、本ボタンにより設定を中断する場合に設定作業を終了することが容易となる。
【００１７】
条件指定画面（１０，２０，３０）は順に入力対象を選択したら数値入力画面（４０）を表示する。
【００１８】
図３を用いて数値入力画面（４０）の詳細構成を説明する。数値入力画面（４０）では入力する数値に関するガイダンス（４５）と数値を入力可能とする入力エリア（４１）を表示する。
【００１９】
図４を用いて入力内容確認画面（５０）の詳細構成を説明する。入力内容確認画面（５０）は条件指定画面（１０，２０，３０）で選択した内容と数値入力画面（４０）で入力した内容（５１）と、その表示内容についてエネルギー管理する帳票型一覧表画面（８０）に設定することを確認するガイダンス（５５）を表示する。
【００２０】
図５を用いて連続入力確認画面（６０）の詳細構成を説明する。連続入力確認画面（６０）は、連続して他の条件での数値を入力するために条件指定画面（１０）に遷移する、「続けて入力するボタン」（６１）と、使用した間接入力モード（７０）を終了し、それまで入力した内容をエネルギー管理する帳票型一覧表画面（８０）に反映するための「終了ボタン」（６２）を備える。「続けて入力するボタン」（６１）を選択した場合、以降の条件指定画面（１０，２０，３０）での各画面での条件リスト（１１，２１，３１、）の初期選択状態は前回の各画面で選択したものと同じ内容を選択した状態とすることでデータの連続入力時の煩雑性を解消する。
【００２１】
図６を用いて従来の直接入力と、直接入力と間接入力モードの２つを有する本システムを説明する。
【００２２】
従来のエネルギー管理では、データの入力方法は直接入力（９１）のみであるが、本発明実施例のシステムでは、９２に示すように、直接入力と間接入力モードをユーザーにより選択可能とすることで入力方法における自由度が高い。
【００２３】
図７には、図１の帳票型一欄表画面８０の拡大して示す。
【符号の説明】
【００２４】
１０，２０，３０…条件指定画面、４０…数値入力画面、５０…入力内容確認画面、６０…連続入力確認画面、７０…間接入力モード、８０…帳票型一欄表画面。
【図１】
0005480838.tif 000002
【図２】
0005480838.tif 000003
【図３】
0005480838.tif 000004
【図４】
0005480838.tif 000005
【図５】
0005480838.tif 000006
【図６】
0005480838.tif 000007
【図７】
0005480838.tif 000008